(57)【要約】【課題】ネットワーク上でデータを転送する時間を軽減することができるデータ受信装置及びデータ送信装置を提供する。【解決手段】テレビジョン１０は、ＤＶＤレコーダ２０に対しＨＴＴＰヘッダ５０３を送信する（Ｓ１）。ＤＶＤレコーダ２０は、負荷検知部４０２により自装置の負荷を検知し、ＨＴＴＰヘッダ５０３の負荷状況値５０２に１〜１００の数値を書き込み（Ｓ２）、ＤＶＤレコーダ２０の送受信部４０１は、負荷状況値５０２を書き込んだＨＴＴＰヘッダ５０３をテレビジョン１０に返送する（Ｓ３）。テレビジョン１０の送受信部３０１は、ＤＶＤレコーダ２０から受信したＨＴＴＰヘッダ５０３の負荷状況値５０２に対応した転送レートでデータをＤＶＤレコーダ２０に送信する（Ｓ５）。これにより、受信側機器の負荷に応じて転送レートを変更し、転送失敗や誤動作を減らし、データを転送する時間を軽減できる。【選択図】図７
2008301262.tif 000002
【特許請求の範囲】
【請求項１】
自装置に対してかかる負荷を検知する負荷検知手段と、
前記負荷検知手段が検知した前記負荷を示す負荷情報を、ネットワークを介して接続されたデータ送信装置に送信する負荷情報送信手段と、
前記データ送信装置からネットワークを介して前記負荷情報が示す前記負荷に応じた伝送速度で送信されたデータを受信するデータ受信手段と
を備えたデータ受信装置。
【請求項２】
ネットワークを介して接続されたデータ受信装置から前記データ受信装置に対してかかる負荷を示す負荷情報を受信する負荷情報受信手段と、
前記データ受信装置にネットワークを介して前記負荷情報が示す前記負荷に応じた伝送速度でデータを送信するデータ送信手段と
を備えたデータ送信装置。
【請求項３】
自装置に対してかかる負荷を検知する負荷検知手段をさらに備え、
前記データ送信手段は、前記負荷検知手段が検知した前記負荷が閾値以下のときにデータを送信する、請求項２に記載のデータ送信装置。
【請求項４】
時刻を検知する時刻検知手段をさらに備え、
前記データ送信手段は、前記時刻検知手段が検知した時刻に応じた伝送速度でデータを送信する、請求項２又は３に記載のデータ送信装置。
【請求項５】
前記データ送信手段は、前記負荷情報受信手段が前記データ受信装置から受信した前記負荷情報が示す前記負荷が変動したときは、変動した前記負荷に応じた伝送速度でデータを送信する、請求項２〜４のいずれか１項に記載のデータ送信装置。
【発明の詳細な説明】
【技術分野】
【０００１】
本発明はデータ受信装置及びデータ送信装置に関し、特に、ネットワークを介してそれぞれ接続されてデータの受信を行うデータ受信装置及びデータの送信を行うデータ送信装置に関するものである。
【背景技術】
【０００２】
近年、家庭内のホームネットワーク等のネットワークにそれぞれ接続されたテレビジョン、ＤＶＤ（Digital  Versatile  Disk）レコーダ等の複数の機器が、デジタル放送等のコンテンツに係るデータを共有することが行われている。例えば、特許文献１には、デジタル放送の受信機能とコンテンツ録画機能を備えた複数のＡＶ機器がネットワーク上で連携して仮想的に１台の情報処理装置として動作し、著作権に対応したコピーワンスのコンテンツを録画予約する際に、必要とするコンテンツの個数をＧＵＩ上で指定し、複数の機器で同一コンテンツを録画し、複数の機器で同一のコンテンツを所有できるようにしたシステムが開示されている。
【特許文献１】特開２００５−２４４５７６号公報
【発明の開示】
【発明が解決しようとする課題】
【０００３】
しかしながら、上記のようなシステムでは、コンテンツのデータサイズが大きい場合にデータを他の機器に転送しようとすると時間がかかり、ネットワークもデータの転送の間は占有されるという問題がある。
【０００４】
本発明は、かかる事情に鑑みてなされたものであり、その目的は、ネットワーク上でデータを転送する時間を軽減することができるデータ受信装置及びデータ送信装置を提供することにある。
【課題を解決するための手段】
【０００５】
本発明は、自装置に対してかかる負荷を検知する負荷検知手段と、負荷検知手段が検知した負荷を示す負荷情報を、ネットワークを介して接続されたデータ送信装置に送信する負荷情報送信手段と、データ送信装置からネットワークを介して負荷情報が示す負荷に応じた伝送速度で送信されたデータを受信するデータ受信手段とを備えたデータ受信装置である。
【０００６】
また本発明は、ネットワークを介して接続されたデータ受信装置からデータ受信装置に対してかかる負荷を示す負荷情報を受信する負荷情報受信手段と、データ受信装置にネットワークを介して負荷情報が示す負荷に応じた伝送速度でデータを送信するデータ送信手段とを備えたデータ送信装置である。
【発明の効果】
【０００７】
本発明のデータ受信装置及びデータ送信装置によれば、ネットワーク上でデータを転送する時間を軽減することができる。
【発明を実施するための最良の形態】
【０００８】
以下、図面を参照しつつ本発明の第１実施形態に係るデータ受信装置及びデータ送信装置の好適な実施形態としてのホームネットワーク１について詳細に説明する。
【０００９】
図１に示すホームネットワーク１は、ハードディスク１１が接続されたテレビジョン１０、ＤＶＤレコーダ２０、ＮＡＳ（Network  Attached  Storage）３０及びパーソナルコンピュータ４０が、ハブ（ルータ）５０を介してネットワーク回線２により相互に接続されている。テレビジョン１０、ＤＶＤレコーダ２０、ＮＡＳ３０及びパーソナルコンピュータ４０は、いずれも、デジタルホームネットワーク機器の相互運用を実現するＤＬＮＡ（Digital  Living Network  Alliance）と呼ばれる技術に対応した機器であり、いずれもＤＴＣＰ−ＩＰ（Digital  Transmission  Content  Protection  over  Internet  Protocol）対応の機器である。本実施形態のホームネットワーク１は、例えば、家の１階に設置したＤＶＤレコーダ２０で録画したコンテンツを、家の２階に設置したテレビジョンで視聴することを可能とするものである。
【００１０】
以下、本実施形態において、テレビジョン１０のハードディスクに記録されたコンテンツのデータをＤＶＤレコーダ２０に転送（Upload）する場合を中心に説明する。なお、なおuploadの途中で中断した等でその続きから始める場合(レジューム)については、ＤＬＮＡの機能を使用するものとする。また、著作権保護（ＤＲＭ）についてもＤＬＮＡで定められているものを使用する。
【００１１】
図２は、本実施形態にかかるテレビジョン１０のハードウェアの構成を示すブロック図である。図２に示すようにテレビジョン１０は、ＣＰＵ（Central  Processing  Unit）１０１、Ｅｔｈｅｒｎｅｔ(登録商標)  Ｉ／Ｆ１０２、Ａ／Ｖ  Ｄｅｍｕｘ１０３、Ｍｅｍｏｒｙ１０４、Ａｕｄｉｏ  Ｄｅｃｏｄｅｒ１０５、Ｖｉｄｅｏ  Ｄｅｃｏｄｅｒ１０６、グラフィック処理部１０７、映像処理出力部１０８、ストレージＩ／Ｆ１０９、バス１１０、ストリームＩ／Ｆ１１１、Ｖｉｄｅｏ  Ｅｎｃｏｄｅｒ１１２、Ａｕｄｉｏ  Ｅｎｃｏｄｅｒ１１３、チューナー１１４、ハードディスク１１５、Ａ／Ｖ  ＭＵＸ１１６、ＤＡＣ（Ｄ／Ａコンバータ）１２０、Ａｍｐ（アンプ）１２１、スピーカ１２２、端子１３０及び表示パネル１４０を備えている。
【００１２】
チューナー１１４によって受信されたアナログ音声信号は、Ａｕｄｉｏ  Ｅｎｃｏｄｅｒ１１３によって符号化される。符号化された映像信号と音声信号とはＡ／Ｖ  ＭＵＸ１１６によって合成され、Ａ／Ｖストリームとされる。一方、チューナー１１４で受信されたデジタル映像信号は、例えばＭＰＥＧ２ＴＳ（Transport  Stream）形式のＡ／Ｖストリームとして、ストリームＩ／Ｆ１１１から入力される。ＡＶストリームは、ストレージＩＦ１０９を介して、ハードディスク１１５に記録される。
【００１３】
ハードディスク１１５に記録されたＡ／Ｖストリームは、ＣＰＵ１０１により読み出される。ＡＶストリームは、Ｅｔｈｅｒｎｅｔ  Ｉ／Ｆ１０２を介して端子１３０に接続されたネットワーク回線２に出力される。ＣＰＵ１０１およびグラフィック処理部１０７は、例えば、ＧＵＩ（Graphical  User  Interface）表示画面等を生成し、メモリ１０４に保持して、適宜読み出して表示パネル１４０に表示する。
【００１４】
また、端子１３０から他の機器から入力されたＡＶストリームや、ハードディスク１１５に記録されたＡＶストリームは、Ｅｔｈｅｒｎｅｔ  Ｉ／Ｆ１０２を経由して、Ａ／Ｖ  Ｄｅｍｕｘ１０３で映像データと音声データに分離される。映像データは、映像復号部１０６で復号される。複号された映像データは、映像処理出力部１０８から映像信号として出力され、表示パネル１４０に表示される。音声データは、Ａｕｄｉｏ  Ｄｅｃｏｄｅｒ１０５で復号され、ＤＡＣ１２０、Ａｍｐ１２１を通りスピーカ１２２から出力される。
【００１５】
図３は、図２のテレビジョン１０のハードウェアにより実行されるソフトウェアの構成を示すブロック図である。図３に示すように、本実施形態のテレビジョン１０は、送受信部３０１、負荷検知部３０２及び時間帯検知部３０３を備えている。
【００１６】
送受信部３０１は、ＤＶＤレコーダ２０から、ＤＬＮＡで利用するＨＴＴＰ（HyperText  Transfer  Protocol）のＰＯＳＴメソッドにおけるＨＴＴＰヘッダを受信し、ＨＴＴＰヘッダに記載されたＤＶＤレコーダ２０の負荷情報を受信するためのものである。また、送受信部３０１は、ＤＶＤレコーダ２０に対しＨＴＴＰヘッダに記載されたＤＶＤレコーダ２０の負荷情報に基づいた伝送速度（転送レート）でデータを送信するためのものである。送受信部３０１は、特許請求の範囲に記載の負荷情報受信手段及びデータ送信手段として機能する。
【００１７】
負荷検知部３０２は、テレビジョン１０に対してかかる負荷を検知するためのものである。ここで、テレビジョン１０に対してかかる負荷とは、具体的には、ＣＰＵ１０１のリソースの使用率であり、あるいは、バス１１０の最大伝送量に対する現在の伝送量を意味する。負荷検知部は、特許請求の範囲に記載の負荷検知手段として機能する。
【００１８】
時間帯検知部３０３は、１日における朝、昼、夜、未明等の時刻を検知するためのものである。時間帯検知部３０３は、特許請求の範囲に記載の時刻検知手段として機能する。
【００１９】
図４は、本実施形態のＤＶＤレコーダ２０のハードウェアの構成を示すブロック図である。図４に示すようにＤＶＤレコーダ２０は、ＣＰＵ２０１、Ｅｔｈｅｒｎｅｔ  Ｉ／Ｆ２０２、ストレージＩ／Ｆ部２０３、Ｍｅｍｏｒｙ２０４、ストリームＩ／Ｆ２０５、グラフィック処理部２０６、Ａ／Ｖ  ＭＵＸ２０７、Ｖｉｄｅｏ  Ｅｎｃｏｄｅｒ２０８、Ａｕｄｉｏ  Ｅｎｃｏｄｅｒ２０９、バス２１０、チューナー２２０、端子２３０、及びハードディスク２４０を備えている。
【００２０】
上記のテレビジョン１０と同様に、チューナー２２０によって受信されたアナログ音声信号は、Ａｕｄｉｏ  Ｅｎｃｏｄｅｒ２０９によって符号化される。符号化された映像信号と音声信号とはＡ／Ｖ  ＭＵＸ２０７によって合成され、Ａ／Ｖストリームとされる。一方、チューナー２２０で受信されたデジタル映像信号は、例えばＭＰＥＧ２ＴＳ形式のＡ／Ｖストリームとして、ストリームＩ／Ｆ部２０５から入力される。ＡＶストリームは、ストレージＩＦ部２０３を介して、ハードディスク２４０に記録される。また、端子２３０から入力されたＡＶストリームは、Ｅｔｈｅｒｎｅｔ  Ｉ／Ｆ２０２を経由して、ストレージ  ＩＦ２０３からハードディスク２４０に記録される。
【００２１】
ハードディスク２４０に記録されたＡ／Ｖストリームは、ＣＰＵ２０１により読み出される。ＡＶストリームは、Ｅｔｈｅｒｎｅｔ  Ｉ／Ｆ２０２を介して端子２３０に接続されたネットワーク回線２に出力される。ＣＰＵ２０１およびグラフィック処理部２０６は、例えば、他の機器に表示するためのＧＵＩ表示画面等を生成し、ＧＵＩ表示画面はメモリ２０４に保持される。
【００２２】
図５は、図４のＤＶＤレコーダ２０のハードウェアにより実行されるソフトウェアの構成を示すブロック図である。図５に示すように、本実施形態のＤＶＤレコーダ２０は、送受信部４０１及び負荷検知部４０２を備えている。
【００２３】
送受信部４０１は、負荷検知部で検知した負荷情報をＨＴＴＰのＰＯＳＴメソッドにおけるＨＴＴＰヘッダに記載して、テレビジョン１０に対して送信するためのものである。また、送受信部４０１は、ＨＴＴＰヘッダに記載して送信した負荷情報に応じた伝送速度でテレビジョン１０から送信されたデータを受信するためのものである。送受信部４０１は、特許請求の範囲に記載の負荷情報送信手段及びデータ受信手段として機能する。
【００２４】
負荷検知部４０２は、ＤＶＤレコーダ２０に対してかかる負荷を検知するためのものである。ここで、ＤＶＤレコーダ２０に対してかかる負荷とは、具体的には、ＣＰＵ２０１のリソースの使用率であり、あるいは、バス２１０の最大伝送量に対する現在の伝送量を意味する。負荷検知部は、特許請求の範囲に記載の負荷検知手段として機能する。
【００２５】
図６は、転送されるデータのＨＴＴＰヘッダを示す図である。図６に示すように、データ５００のＨＴＴＰのＰＯＳＴメソッドにおけるＨＴＴＰヘッダ５０３は、ヘッダ５０１と負荷状況値５０２とからなる。ヘッダ５０１は、例えば“Ｘ−ｒａｔｅ”と記述される。負荷状況値５０２は、最大受信量に対する現在の受信可能量を％で表わしたもので、ＤＶＤレコーダ２０の負荷がなく最大の受信量が可能な状態を１００とし、全く受信が不可能な状態を０とする。
【００２６】
以下、図７を参照して、実施形態に係るホームネットワーク上でデータが転送される動作について説明する。
【００２７】
図７に示すように、まずテレビジョン１０の送受信部３０１は、ＤＶＤレコーダ２０に対し、テレビジョン（送出側）１０からコンテンツのデータのUploadを行うため、図６に示すようなＨＴＴＰのＰＯＳＴメソッドを送信する（Ｓ１）。ＤＶＤレコーダ（受信側）２０は、負荷検知部４０２により自装置の負荷を検知し、テレビジョン１０から送信されたＨＴＴＰのＨＴＴＰヘッダ５０３の負荷状況値５０２に１〜１００の数値を書き込む（Ｓ２）。ＤＶＤレコーダ２０の送受信部４０１は、負荷状況値５０２を書き込んだＨＴＴＰヘッダ５０３をＰＯＳＴの返信としてテレビジョン１０に返送する（Ｓ３）。
【００２８】
テレビジョン１０の送受信部３０１は、ＤＶＤレコーダ２０から受信したＨＴＴＰヘッダ５０３の負荷状況値５０２が、“０”（最小値）の場合は、受信側であるＤＶＤレコーダ２０は負荷が高い（例えば、何か別の処理を行っている）と判断して、データの送信は行わず、セッションを一旦終了し、ある程度時間が経過してから、再度ＨＴＴＰのＰＯＳＴを送出する（Ｓ４，Ｓ１）。
【００２９】
テレビジョン１０の送受信部３０１は、ＤＶＤレコーダ２０から受信したＨＴＴＰヘッダ５０３の負荷状況値５０２が、“１００”（最大値）の場合は、受信側であるＤＶＤレコーダ２０は負荷が無いと判断して、転送量の制限を設けずに（ベストエフォート）、データをＤＶＤレコーダ２０に送信する（Ｓ５）。テレビジョン１０送受信部３０１は、負荷状況値５０２がその他の値の場合は、当該負荷状況値５０２の値に対応し、且つ接続されているネットワーク回線２の最大転送レートに応じた転送レートでデータをＤＶＤレコーダ２０に送信する（Ｓ５）。
【００３０】
テレビジョン１０の送受信部３０１は、接続時のＰＯＳＴの返信に負荷状況値５０２を書き込んだＨＴＴＰヘッダ５０３が含まれていた場合、データの転送途中においても、定期的にＰＯＳＴメソッドにおけるＨＴＴＰヘッダ５０３をＤＶＤレコーダ２０に送信する（Ｓ６）。ＤＶＤレコーダ２０は、データの転送途中において，負荷検知部４０２により自装置の負荷を検知し、テレビジョン１０から送信されたＨＴＴＰのＨＴＴＰヘッダ５０３の負荷状況値５０２に負荷状況値を書き込む（Ｓ７）。ＤＶＤレコーダ２０の送受信部４０１は、負荷状況値５０２を書き込んだＨＴＴＰヘッダ５０３をＰＯＳＴの返信としてテレビジョン１０に返送する（Ｓ８）。
なお、転送途中の確認には、ＨＥＡＤメソッドのような他のメソッドを使用してもよい。
【００３１】
テレビジョン１０の送受信部３０１は、負荷状況値５０２が変動していなければ（Ｓ９）、転送レートを維持して終了まで転送をおこなう（Ｓ１０）。テレビジョン１０の送受信部３０１は、負荷状況値５０２が変動している場合は（Ｓ９）、変動後の負荷状況値５０２の値に対応し、且つ接続されているネットワーク回線２の最大転送レートに応じた転送レートでデータをＤＶＤレコーダ２０に送信する（Ｓ５）。テレビジョン１０の送受信部３０１は、ＤＶＤレコーダ２０から受信したＨＴＴＰヘッダ５０３の負荷状況値５０２が、“０”（最小値）の場合は（Ｓ１１）、データのファイル転送を完了した位置で一時中断し（Ｓ１２）、再度、定期的にＰＯＳＴメソッドにおけるＨＴＴＰヘッダ５０３をＤＶＤレコーダ２０に送信し、ＤＶＤレコーダ２０から返信されたＨＴＴＰヘッダ５０３の負荷状況値５０２が０ではなくなったときに、データのファイル転送を中止した位置からデータのファイル転送を再開する（Ｓ５）。
【００３２】
ＤＬＮＡで利用するＨＴＴＰの下位レイヤはＴＣＰ（Transmission  Control  Protocol）であり、ＴＣＰでの通信では、受信側のウインドサイズによるフロー制御が可能である。しかし、これは実際にデータ転送を行いながら変化していくもので、データの送出前に相手である受信側の負荷が判るものでない。また最終的にはレートが安定することになるが、データ送出の初期は、送信側の都合で送出するため、受信側の負荷の増加や、バースト的な負荷がホームネットワーク１上に生じる場合がる。
【００３３】
本実施形態では、これを解消するため、ＤＬＮＡのuploadはＨＴＴＰのＰＯＳＴメソッドを使用していることを利用し、ＤＶＤレコーダ（受信側）２０からの返信に受信側の負荷情報を記入することにより、テレビジョン（送信側）１０で認識できるようにする。そのため、受信側機器の負荷に応じて、転送レートを変更できるため、転送の失敗や受信側機器の誤動作を減らすことができ、結果として、ネットワーク上でデータを転送する時間を軽減することができる。
なおここではＨＴＴＰのＰＯＳＴメソッドで説明しているが、他のメソッド、例えばＰＵＴメソッドでも同様の動作が可能である。
【００３４】
以下、本発明の第２実施形態について説明する。本実施形態では上記第１実施形態の動作に加えて、テレビジョン１０の負荷検知部３０２が自装置の負荷を検出し、送受信部３０１は、負荷検知部３０２が検知した負荷が閾値以下のときにデータを送信する。
【００３５】
例えば、テレビジョン１０が待機中、すなわち、負荷検知部３０２が検知した負荷が０の場合、まず、ユーザがテレビジョン１０のハードディスク１１５に記録されたどのコンテンツのデータを、ホームネットワーク１上のＤＶＤレコーダ１０等のどの機器にuploadするか設定を行う。次に、テレビジョン１０をリモートコントローラ等でスタンバイ（待機）状態とする。この場合、テレビジョン１０の負荷検知部３０２は、自装置の負荷を０として検知する。テレビジョン１０の送受信部３０１がuploadを行うタイミングは、この時点ですぐに始めることも可能であるが、ホームネットワーク１が使われていない深夜等に、テレビジョン１０の負荷検知部３０２が自装置の負荷を０として検知したときに行うことも可能である。これらの動作は、ユーザの指定により変更できる。
【００３６】
なおupload中にテレビジョン１０で予約録画等のデータの転送とは別の処理が行われる場合には、テレビジョン１０の送受信部３０１は負荷検知部３０２が検知した負荷状況に応じてuploadを中断し、予約録画等の他の処理の終了後、レジュームによりデータの続きからuploadを再開する。この場合において、他の処理が、例えば放送を受信するといったテレビジョン１０にもホームネットワーク１にもそれほど負荷がかからない場合には、データの送信を中断する必要はない。
【００３７】
本実施形態では、テレビジョン１０の負荷検知部３０２が自装置の負荷を検出し、送受信部３０１は、負荷検知部３０２が検知した負荷が閾値以下のときにデータを送信するため、テレビジョン１０の処理能力をuploadに注力することにより、負荷が閾値を超えている通常時より高速でコンテンツのデータをuploadすることが可能となる。
【００３８】
以下、本発明の第３実施形態について説明する。本実施形態では上記第１及び第２実施形態の動作に加えて、送受信部３０１は、時間帯検知部３０３が検知した時刻に応じた伝送速度でデータを送信する。
【００３９】
本実施形態では、テレビジョン１０においてユーザによるメニューの設定等により、一日の時間単位(朝、昼、夜、未明)ごとに最大転送レートを設定する。送受信部３０１は、時間帯検知部３０３が検知した時刻に対応した最大転送レートを超えない転送レートで、上記第１及び第２実施形態と同様に、ＤＶＤレコーダ２０に対しデータのuploadを行う。
【００４０】
送信側のテレビジョン１０及び受信側のＤＶＤレコーダ２０の負荷に対応した最大の転送レートでデータのuploadを行った場合、テレビジョン１０とＤＶＤレコーダ２０との間では高速でデータの転送が可能であるが、ホームネットワーク１に接続されているパーソナルコンピュータ４０等の他の機器も通信を行う場合、テレビジョン１０とＤＶＤレコーダ２０との間の転送レートがあまりに高いと、パーソナルコンピュータ４０の通信が阻害される可能がある。
【００４１】
そこで、本実施形態では、時間帯に応じてテレビジョン１０からの転送レートに制限をかけることにより、ホームネットワーク１の負荷を軽減し、ホームネットワーク１上の他の機器の動作を阻害しないようにすることができる。
【００４２】
以上、本発明の実施の形態について説明したが、本発明は、上記実施形態に限定されるものではなく種々の変形が可能である。例えば、上記実施形態では、送信側のテレビジョン１０から受信側のＤＶＤレコーダ２０に対してデータを転送する場合を中心に説明したが、本発明はこれに限定されることはなく、ホームネットワーク１上に接続された種々の機器から他の機器へのデータの転送を行う態様が本発明の範囲に含まれる。
【図面の簡単な説明】
【００４３】
【図１】本発明の第１実施形態に係るデータ送信装置及びデータ受信装置を備えたホームネットワークの構成を示す図である。
【図２】図１のテレビジョンのハードウェアの構成を示すブロック図である。
【図３】図２のテレビジョンのソフトウェアの構成を示すブロック図である。
【図４】図１のＤＶＤレコーダのハードウェアの構成を示すブロック図である。
【図５】図４のＤＶＤレコーダのソフトウェアの構成を示すブロック図である。
【図６】転送されるデータのＨＴＴＰヘッダを示す図である。
【図７】本発明の第１実施形態に係るホームネットワーク上でデータが転送される動作を示すシーケンス図である。
【符号の説明】
【００４４】
１…ホームネットワーク、２…ネットワーク回線、１０…テレビジョン、１１…ハードディスク、２０…ＤＶＤレコーダ、３０…ＮＡＳ、４０…パーソナルコンピュータ、５０…ハブ、１０１…ＣＰＵ、１０２…Ｅｔｈｅｒｎｅｔ  Ｉ／Ｆ部、１０３…Ａ／Ｖ  Ｄｅｍｕｘ、１０４…Ｍｅｍｏｒｙ、１０５…Ａｕｄｉｏ  Ｄｅｃｏｄｅｒ、１０６…Ｖｉｄｅｏ  Ｄｅｃｏｄｅｒ、１０７…グラフィック処理部、１０８…映像出力部、１０９…ストレージＩ／Ｆ、１１０…バス、１１１…ストリームＩ／Ｆ、１１２…Ｖｉｄｅｏ  Ｅｎｃｏｄｅｒ、１１３…Ａｕｄｉｏ  Ｅｎｃｏｄｅｒ、１１４…チューナー、１１５…ハードディスク、Ａ／Ｖ  ＭＵＸ１１６、１２０…ＤＡＣ、１２１…Ａｍｐ、１２２…スピーカ、１３０…端子、１４０…表示パネル、２０１…ＣＰＵ、２０２…Ｅｔｈｅｒｎｅｔ  Ｉ／Ｆ部、２０３…ストレージＩ／Ｆ部、２０４…Ｍｅｍｏｒｙ、２０５…ストリームＩ／Ｆ部、２０６…グラフィック処理部、２０７…Ａ／Ｖ  ＭＵＸ、２０８…Ｖｉｄｅｏ  Ｅｎｃｏｄｅｒ、２０９…Ａｕｄｉｏ  Ｄｅｃｏｄｅｒ、２１０…バス、２２０…チューナー、２３０…端子、２４０…ハードディスク、３０１…送受信部、３０２…負荷検知部、３０３…時間帯検知部、４０１…送受信部、４０２…負荷検知部、５００…データ、５０１…ヘッダ、５０２…負荷状況値、５０３…ＨＴＴＰヘッダ。
【図１】
2008301262.tif 000003
【図２】
2008301262.tif 000004
【図３】
2008301262.tif 000005
【図４】
2008301262.tif 000006
【図５】
2008301262.tif 000007
【図６】
2008301262.tif 000008
【図７】
2008301262.tif 000009